(57)【要約】【課題】高リプル対応ながら電気用品取締法の沿面距離を充分大きくとり、接続端子間の距離を小さくすることができる小形化が可能なコンデンサを提供することを目的とする。【解決手段】一方の端面に配設した一対のネジ付き接続端子を有するネジ端子付きコンデンサにおいて、接続端子のネジ穴の向きが接続端子の引出方向とほぼ直角方向で外向きであり、なおかつ、前記のネジ穴入口面または付近を除いて絶縁樹脂でコーテング、充填、モールドまたははめ込み被覆する。【選択図】図１
2004047546.tif 000002
【特許請求の範囲】
【請求項１】
一方の端面に配設した一対のネジ付き接続端子を有するネジ端子付きコンデンサにおいて、接続端子のネジ穴の向きが互いに逆で外向きであり、なおかつ、前記のネジ穴入口面または付近を除いて絶縁樹脂で被覆されていることを特徴とするネジ端子付きコンデンサ。
【請求項２】
一方の端面に配設した一対のネジ付き接続端子を有するネジ端子付きコンデンサにおいて、接続端子のネジ穴の向きが互いに逆で外向きであり、なおかつ、前記のネジ穴入口面または付近を除いて絶縁樹脂でモールド被覆されていることを特徴とするネジ端子付きコンデンサ。
【発明の詳細な説明】
【０００１】
【発明の属する技術分野】
本発明は，ネジ端子付きコンデンサに関する。
【０００２】
【従来の技術】
アルミ電解コンデンサ等のコンデンサは、例えば図５に示す通り、コンデンサ素子１を金属製や樹脂製のケース３に収納すると共に、ケース３に蓋６を取り付けて密封した構造になっている。図６は、ネジ端子を含む蓋部分の側面構造を図５とは９０度回転させて示している。蓋６には外部接続のために、一対の陽極接続端子１１ａと陰極接続端子１１ｂとをこの蓋６に貫通して設ける。ところで、このコンデンサをＢＵＳバーなどの外部配線にて回路に固定される場合には、この接続端子１１にネジ部１２を設けて固定する。このネジ穴の向きは、両方とも接続端子の引き出し方向と同方向であり、コンデンサに対して外向きな構造となっている。
【０００３】
【発明・考案が解決しようとする課題】
しかし、コンデンサの径を小型化しようとして、接続端子間距離を縮小させようとすると、接続端子間距離を電気用品取締法のコンデンサの沿面距離に準拠させる必要があり、従来の蓋の構造では、接続端子間距離を、規定寸法を越えて縮小させることができないし、また、そのために接続端子を小型化すると耐リプル性が減少するため、コンデンサ径の小型化の隘路となっていた。
【０００４】
本発明は、以上の欠点を改良し、高リプル対応で小型化が可能なネジ端子付きコンデンサを提供することを課題とするものである。
【０００５】
【課題を解決するための手段】
本発明は、上記の課題を解決するために、一方の端面に配設した一対のネジ付き接続端子を有するネジ端子付きコンデンサにおいて、接続端子のネジ穴の向きが互いに逆で外向きであり、なおかつ、前記のネジ穴入口面または付近を除いて絶縁樹脂で被覆するものである。
【０００６】
すなわち、本発明により、高リプル対応ながら電気用品取締法の沿面距離を充分大きくとることができるので、接続端子間の距離を小さくすることができるため、小形化が可能なコンデンサを提供できる。
【０００７】
【発明の実施の形態】
以下、本発明の実施の形態を図面に基づいて説明する。
図１は、本発明のネジ端子付きコンデンサの、特にアルミ電解コンデンサの断面構造を示している。図２は、本発明のネジ端子を含む蓋部分の側面構造を、図１とは９０度回転させて示している。１はコンデンサ素子である。このコンデンサ素子１は陽極箔と陰極箔とを電解紙を介して積層し、巻回して陽極リード２ａと陰極リード２ｂとを引き出した構造になっている。陽極箔はエッチングした高純度のアルミ箔等の弁作用金属箔に酸化皮膜を形成し、陽極リード２ａを接続したものである。また、陰極箔は、エッチングしたアルミ箔等の弁作用金属箔に陰極リード線２ｂを接続したものを用いる。電解紙はマニラ紙やクラフト紙を用いる。また、コンデンサ素子１としては、他にコンデンサ紙やプラスティックフィルムに亜鉛などを真空蒸着等した金属化紙や金属化フィルムを巻回し、両端面にメタリコンを設け、このメタリコンにリード線を接続した構造のものを用いてもよい。
【０００８】
３はアルミ等の金属材からなるケースであり、一端面が開いた外観的に円筒状に形成されている。そしてケース３の底部の中心部には溝状の防爆機構４を設ける場合もある。ケース３には絶縁性チューブ５を被覆する。
【０００９】
そして、６は蓋であり、ポリプロピレン・ポリフェニリンサルファイド・フェノール等の絶縁樹脂製で、３〜３０ｍｍ程度の厚さであり、その周縁部分の肉厚を薄くし、中央部分に対して段差を形成するとともに、段面が三角形状の突起７を設ける。この周縁部分には、ゴム等のリング状の弾性体８を配置させる。
ケース３にリング状の屈曲部９を設け、蓋６を固定し、ケース３の先端部１０をカーリングして弾性体８にくい込ませて密閉性を向上させている。
また、蓋６には、一対の陽極接続端子１１ａと陰極接続端子１１ｂとを設ける。そして陽極接続端子１１ａに陽極リード２ａをリベット止めや超音波溶接法により接続するとともに、陰極端子１１ｂには陰極リード線２ｂを同様な方法により接続している。
【００１０】
さらに、接続端子１１にはそれぞれ外部接続用のネジ部１２を設ける。ネジ穴は向きが逆で外向きであり、なおかつ、前記のネジ部１２入口面または付近を除いて絶縁樹脂で被覆された構造となっており、陽極端子１１ａと陰極端子１１ｂとの沿面距離を大きくとることができる。絶縁樹脂での被覆は図３に示すように、絶縁樹脂等のコーテング１３のほか、充填、はめ込みなどで後加工してもよいが、図１に示すように、蓋６を製作するときに一体的にモールドすると後加工しなくてもすむ。
端子間を絶縁樹脂で充填被覆すると絶縁性が向上し、耐リプル性を向上させることができし、両端子を強固に固定するため、気密性・耐振性の優れたものとなる。また、端子周辺のみを被覆すると沿面距離をより大きくとることができるし、絶縁樹脂の被覆は電気的な接続の妨げとならない範囲で大面積ほど効果がある。
【００１１】
ネジ穴の方向は、図４に示すように、接続端子１１の引き出し方向の直角方向から少し斜め外側にするとことにより、ネジ止めがしやすくなり、接続端子の長さを短くすることが可能になり、コンデンサの長さ方向も小型化することができる。また、お互いのネジ穴の軸方向は同軸である必要はなく、コンデンサの形状に合わせて平行方向やずれていてもよい。
【００１２】
【発明の効果】
以上の通り、本発明によれば、一方の端面に配設した一対のネジ付き接続端子を有するネジ端子付きコンデンサにおいて、接続端子のネジ穴の向きが互いに逆で外向きであり、なおかつ、前記のネジ穴入口面または付近を除いて絶縁樹脂で被覆された構造なので、電気用品取締法の沿面距離を充分大きくとることができ、コンデンサの小形化が可能となる。
さらに、コンデンサの径を小型化しても、接続端子の径を小型化する必要がないので、大電流が流せ、耐リプル性を維持できるし、接続端子間には絶縁樹脂が存在するため、耐リプル性を向上させることができる。
【００１３】
また、両端子を絶縁樹脂で固定する場合には、特に気密性・耐振性の優れたものとなる。
また、接続端子の引き出し方向と直角方向から少し斜め外側にするとことにより、ネジ止めがしやすくなり、接続端子の長さを短くすることが可能になり、コンデンサの長さ方向も小型化することができる。
【図面の簡単な説明】
【図１】本発明の実施の形態の断面図を示す。
【図２】本発明の実施の形態に係る蓋部分の側面図を示す。
【図３】本発明の他の実施の形態に係る蓋部分の断面図を示す。
【図４】本発明のさらに他の実施の形態に係る蓋部分の断面図を示す。
【図５】従来のネジ付き端子コンデンサの断面図を示す。
【図６】従来のネジ付き端子コンデンサの蓋部分の側面図を示す。
【符号の説明】
１…コンデンサ素子、２ａ…陽極リード、２ｂ陰極リード、３…ケース、４…防爆弁、
５…絶縁性チューブ、６…蓋、７…突起、８…弾性体、９…屈曲部、１１ａ…陽極接続端子、１１ｂ…陰極接続端子、１２…ネジ部。
整理番号　Ｐ３５０５
【図１】
2004047546.tif 000003
【図２】
2004047546.tif 000004
【図３】
2004047546.tif 000005
【図４】
2004047546.tif 000006
【図５】
2004047546.tif 000007
【図６】
2004047546.tif 000008